【手続補正書】
【提出日】平成19年3月19日(2007.3.19)
【手続補正１】
【補正対象書類名】特許請求の範囲
【補正対象項目名】全文
【補正方法】変更
【補正の内容】
【特許請求の範囲】
【請求項１】
放送コンテンツを受信する受信手段と、当該受信手段で受信した放送コンテンツを蓄積する蓄積部とを備える記録装置であって、
前記蓄積部の蓄積容量の一部をチャネル毎の蓄積容量として割り当てる管理を実行する管理手段と、
所定のチャネルで放送される放送コンテンツを当該チャネルに割り当てられた蓄積容量に応じて前記蓄積部に蓄積する蓄積制御手段と、を有し、
前記蓄積制御手段は、所定のチャネルで放送される放送コンテンツの容量が、当該チャネルに割り当てられた蓄積容量の空き容量を超えている場合、前記管理手段が当該チャネルに対して割り当てた蓄積容量を増加させる制御を実行することを特徴とする記録装置。
【請求項２】
前記蓄積制御手段は、前記蓄積部の蓄積容量のうち、チャネル毎に割り当てられていない共通容量を前記放送コンテンツの蓄積に利用するように前記管理手段を制御することを特徴とする請求項１に記載の記録装置。
【請求項３】
前記受信手段は放送コンテンツの蓄積に係る制御が記述された制御情報を受信し、
前記蓄積制御手段は前記制御情報に基づいて、前記管理手段が割り当てた蓄積容量を増加させる制御を実行することを特徴とする請求項１または２に記載の記録装置。
【請求項４】
前記管理手段は、所定のチャネルで放送される放送コンテンツの蓄積を実行する前に、当該チャネルに割り当てる蓄積容量を固定の蓄積容量とする形態か、固定の蓄積容量に加えて前記共通容量を用いて当該チャネルの蓄積容量を増加させることが可能な形態かを選択可能とする制御を実行することを特徴とする請求項２に記載の記録装置。
【請求項５】
放送コンテンツを受信する受信部と、当該受信部で受信した放送コンテンツを蓄積する蓄積部とを備える記録装置の制御方法であって、
前記蓄積部の蓄積容量の一部をチャネル毎の蓄積容量として割り当てる管理を実行する管理ステップと、
所定のチャネルで放送される放送コンテンツを当該チャネルに割り当てられた蓄積容量に応じて前記蓄積部に蓄積する蓄積制御ステップと、を有し、
前記蓄積制御ステップでは、所定のチャネルで放送される放送コンテンツの容量が、当該チャネルに割り当てられた蓄積容量の空き容量を超えている場合、前記管理ステップで当該チャネルに対して割り当てた蓄積容量を増加させる制御を実行することを特徴とする記録装置の制御方法。
【請求項６】
前記蓄積制御ステップでは、前記蓄積部の蓄積容量のうち、チャネル毎に割り当てられていない共通容量を前記放送コンテンツの蓄積に利用するように前記管理ステップを制御することを特徴とする請求項５に記載の記録装置の制御方法。
【請求項７】
前記受信部は放送コンテンツの蓄積に係る制御が記述された制御情報を受信し、
前記蓄積制御ステップでは、前記制御情報に基づいて、前記管理ステップで割り当てた蓄積容量を増加させる制御を実行することを特徴とする請求項５または６に記載の記録装置の制御方法。
【請求項８】
前記管理ステップでは、所定のチャネルで放送される放送コンテンツの蓄積を実行する前に、当該チャネルに割り当てる蓄積容量を固定の蓄積容量とする形態か、固定の蓄積容量に加えて前記共通容量を用いて当該チャネルの蓄積容量を増加させることが可能な形態かを選択可能とする制御を実行することを特徴とする請求項６に記載の記録装置の制御方法。
【手続補正２】
【補正対象書類名】明細書
【補正対象項目名】発明の名称
【補正方法】変更
【補正の内容】
【発明の名称】記録装置及び記録装置の制御方法
【手続補正３】
【補正対象書類名】明細書
【補正対象項目名】０００１
【補正方法】変更
【補正の内容】
【０００１】
本発明は、記録装置及び記録装置の制御方法に関する。
【手続補正４】
【補正対象書類名】明細書
【補正対象項目名】０００６
【補正方法】変更
【補正の内容】
【０００６】
上記課題を解決するために、本発明の記録装置は、放送コンテンツを受信する受信手段と、当該受信手段で受信した放送コンテンツを蓄積する蓄積部とを備える記録装置であって、前記蓄積部の蓄積容量の一部をチャネル毎の蓄積容量として割り当てる管理を実行する管理手段と、所定のチャネルで放送される放送コンテンツを当該チャネルに割り当てられた蓄積容量に応じて前記蓄積部に蓄積する蓄積制御手段と、を有し、前記蓄積制御手段は、所定のチャネルで放送される放送コンテンツの容量が、当該チャネルに割り当てられた蓄積容量の空き容量を超えている場合、前記管理手段が当該チャネルに対して割り当てた蓄積容量を増加させる制御を実行する。
【手続補正５】
【補正対象書類名】明細書
【補正対象項目名】０００７
【補正方法】変更
【補正の内容】
【０００７】
また、上記課題を解決するために、本発明の記録装置の制御方法は、放送コンテンツを受信する受信部と、当該受信部で受信した放送コンテンツを蓄積する蓄積部とを備える記録装置の制御方法であって、前記蓄積部の蓄積容量の一部をチャネル毎の蓄積容量として割り当てる管理を実行する管理ステップと、所定のチャネルで放送される放送コンテンツを当該チャネルに割り当てられた蓄積容量に応じて前記蓄積部に蓄積する蓄積制御ステップと、を有し、前記蓄積制御ステップでは、所定のチャネルで放送される放送コンテンツの容量が、当該チャネルに割り当てられた蓄積容量の空き容量を超えている場合、前記管理ステップで当該チャネルに対して割り当てた蓄積容量を増加させる制御を実行する。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００４８
【補正方法】変更
【補正の内容】
【００４８】
次に各番組送信者により蓄積されたコンテンツの管理に関して説明する。
【手続補正９】
【補正対象書類名】明細書
【補正対象項目名】００８４
【補正方法】変更
【補正の内容】
【００８４】
この実施形態では、番組送信者Ａの蓄積制御用制御文書が、チャネルＡで蓄積できる残容量は５ＧＢであり、蓄積予約をしたいコンテンツ“ＸＸ”の容量は、１２ＧＢであるので、このままでは７ＧＢ不足することを算出し、一方で、一次貸与容量はまだ、０ＧＢであり、契約上の最大容量範囲（５０ＧＢ）内の一次割当てで、蓄積可能であることを認識し、割当て制御部１．１９１ｃに７ＧＢの一時割当て要求を出す。
【手続補正１０】
【補正対象書類名】図面
【補正対象項目名】全図
【補正方法】変更
【補正の内容】
【図１】
2006165760.tif 000001
【図２】
2006165760.tif 000002
【図３】
2006165760.tif 000003
【図４】
2006165760.tif 000004
【図５】
2006165760.tif 000005
【図６】
2006165760.tif 000006
【図７】
2006165760.tif 000007
【図８】
2006165760.tif 000008
【図９】
2006165760.tif 000009
【図１０】
2006165760.tif 000010
【図１１】
2006165760.tif 000011
【図１２】
2006165760.tif 000012